(57)【特許請求の範囲】
【請求項１】
１枚のエプロン本体部の表面に、そのほぼ全幅にわたりポケットを形成し、該ポケットの下方に連通して開閉自在な排水路を設け、前記ポケットには開口状態を保持する保持材を設け、前記エプロン本体部、ポケット及び排水路を可撓性の防水シートより形成してなるエプロンにおいて、排水路をポケットの下端又は側方から下方に延長して設けるとともに、該排水路をその基端を支点として上方に折返して保持可能とすることを特徴とするエプロン。
【請求項２】
１枚のエプロン本体部の表面に、そのほぼ全幅にわたりポケットを形成し、該ポケットの下方に連通して開閉自在な排水路を設け、前記ポケットには開口状態を保持する保持材を着脱自在に設け、前記エプロン本体部、ポケット及び排水路を可撓性の防水シートより形成してなるエプロンにおいて、保持材を防水性の材料からなる可撓性板状材を長手方向において複数箇所でく字状に折り曲げて形成し、該折り曲げ部の折り曲げ角度を変えることにより保持材全体の長さ及び幅を変更可能とすることを特徴とするエプロン。
【発明の詳細な説明】
【技術分野】
【０００１】
本発明は、洗顔用、病人、乳幼児、老人等の食事の介護が必要とされる人たちの食事用及び病人の治療又は処置用に適したエプロンに係り、特にエプロン本体部表面の上部、中間部あるいは下部に洗顔時等の水、食事の際の固形物及び液状物、又は治療時に使用される薬液等を受けることのできるポケットを形成したエプロンに関する。
【背景技術】
【０００２】
従来、洗顔用エプロンとして、特開２００２−３０９４１８号公報に示すものが知られている。この発明は、タオル地あるいは吸水性の高い素材を用いて台形に形成された本体と、本体の上部に設けられ、首に巻き付けできるように形成された上部ベルトと、本体の下側に設けられ、腰に巻き付けできるように形成された下部ベルトを備え、成人が衣服を着た状態で着用できるようにしたものである（以下「従来技術１」という。）。
また、食事の際に用いるエプロンとして、特開平７−１５０４０２号に示すものが知られている。この発明は、エプロンの前垂れ部の上端に首掛け用の紐を設けるとともに、前垂れ部の下端に袋状のポケットを一体に形成したものである（以下「従来技術２」という。）。
【特許文献１】特開２００２−３０９４１８号公報
【特許文献２】特開平７−１５０４０２号公報
【発明の開示】
【発明が解決しようとする課題】
【０００３】
しかしながら、従来技術１の洗顔用エプロンにおいては、タオル地あるいは吸水性の高い素材を用いて本体が形成されているため、本体で吸水できる量以上の水が溢水した場合、エプロンの下端から水が滴下したり、本体裏面に浸透した水が衣服に伝わったりして、保水及び防水の点で不十分なものであった。
また、従来技術２のエプロンにおいては、袋状のポケットが固定的に設けられているため、ポケットに溜まった液状物の排出の際、周囲に飛散したり、また、ポケットを清掃したりするときに、ポケットの部分を裏返しにすることはできるものの、清掃がしにくく、衛生面でも改善の余地があった。
【０００４】
本発明は、洗顔に用いるように多量の水がエプロンに飛散するような場合でも洗顔者の衣類に水がかからないようにするとともにエプロンに飛散した水を確実に収容でき、また、エプロンを食事に用いる場合においても、食べこぼされる固形物及び液状物（以下「液状物等」という。）を確実に収容可能であり、さらに、目、鼻、口腔等の治療に用いられた場合、治療に使用される薬液を収容することが可能であり、そして収容された水あるいは液状物等を排出することが容易なエプロンを提供することを目的とする。
また、本発明は、繰り返し洗濯可能であり、かつ、薄くて軽く超コンパクトで携帯に便利であるとともに使い捨て可能なエプロンを提供することを目的とする。
【課題を解決するための手段】
【０００５】
前記目的を達成するために、請求項１記載の発明は、１枚のエプロン本体部の表面に、そのほぼ全幅にわたりポケットを形成し、該ポケットの下方に連通して開閉自在な排水路を設け、前記ポケットには開口状態を保持する保持材を設け、前記エプロン本体部、ポケット及び排水路を可撓性の防水シートより形成してなるエプロンにおいて、排水路をポケットの下端又は側方から下方に延長して設けるとともに、該排水路をその基端を支点として上方に折返して保持可能とすることを特徴としている。  
【０００６】
請求項１記載の発明では、エプロン本体部に、その全幅にわたりポケットを形成し、該ポケットには開口状態を保持する保持材を設けているため、エプロン本体部に飛散した水及び液状物を確実にポケットに収容できる。また、ポケットの下方に連通して開閉自在な排水路を設けているため、ポケットに収容された水等を排出する際には閉鎖されていた排水路を開くことにより、水及び液状物等を周囲に飛散することなく容易に排出することができる。さらに、食べこぼしの中に含まれているご飯粒のような固形物も、排水路を開いた状態で洗浄用の水をポケット上部から排水路に向けて供給することにより、確実に排出することができる。また、排水路４は、防水シートにより形成されているため、その幅を適宜の寸法に設計変更することも比較的簡単である。また、エプロンを形成する材料として、塩化ビニル等からなる可撓性及び防水性の合成樹脂シート材料を用いることにより、繰り返し洗濯可能であり、かつ、薄くて超コンパクトで携帯に便利であるとともに使い捨てもできる廉価なエプロンを提供できる。さらに、排水路をポケットの下端又は側方から下方に延長して設けるとともに、該排水路をその基端を支点として上方に折返して保持可能とすることにより、使用時においては排水路を上方に折り返して保持することにより簡単に排水路の閉鎖が可能であり、また、排水時においては、上方への折り返しを解除することにより、ポケット内に収容された水又は液状物等の排出を容易、かつ、確実に行うことができる。
【０００７】
同様に前記目的を達成するために、請求項２記載の発明は、１枚のエプロン本体部の表面に、そのほぼ全幅にわたりポケットを形成し、該ポケットの下方に連通して開閉自在な排水路を設け、前記ポケットには開口状態を保持する保持材を着脱自在に設け、前記エプロン本体部、ポケット及び排水路を可撓性の防水シートより形成してなるエプロンにおいて、保持材を防水性の材料からなる可撓性板状材を長手方向において複数箇所でく字状に折り曲げて形成し、該折り曲げ部の折り曲げ角度を変えることにより保持材全体の長さ及び幅を変更可能とすることを特徴としている。
請求項２記載の発明によると、保持材の折り曲げ角度を変えることにより、保持材全体の長さ及び幅を自由に変更できる。また、エプロン使用状態においては保持材を装着しておくことにより、ポケットの開口状態をより確実に保持できるとともに、ポケットからの水の排出あるいは洗浄に当たっては保持材を取り外すことにより、ポケット内に収容された水あるいは液状物等の排出作業又はポケット周辺の洗浄作業を容易かつ確実なものとすることができる。さらに、エプロンの保管時にも、保持材を取り外すことができるため、コンパクトに収容することができる。
【発明の効果】
【００１３】
本発明は、以下のような優れた効果を奏する。  
請求項１記載の発明では、エプロン本体部に、その全幅にわたりポケットを形成し、該ポケットには開口状態を保持する保持材を設けているため、エプロン本体部に飛散した水及び液状物を確実にポケットに収容できる。また、ポケットの下方に連通して開閉自在な排水路を設けているため、ポケットに収容された水等を排出する際には閉鎖されていた排水路を開くことにより、水及び液状物等を周囲に飛散することなく容易に排出することができる。さらに、食べこぼしの中に含まれているご飯粒のような固形物も、排水路を開いた状態で洗浄用の水をポケット上部から排水路に向けて供給することにより、確実に排出することができる。また、排水路４は、防水シートにより形成されているため、その幅を適宜の寸法に設計変更することも比較的簡単である。また、エプロンを形成する材料として、塩化ビニル等からなる可撓性及び防水性の合成樹脂シート材料を用いることにより、繰り返し洗濯可能であり、かつ、薄くて超コンパクトで携帯に便利であるとともに使い捨てもできる廉価なエプロンを提供できる。さらに、排水路をポケットの下端又は側方から下方に延長して設けるとともに、該排水路をその基端を支点として上方に折返して保持可能とすることにより、使用時においては排水路を上方に折り返して保持することにより簡単に排水路の閉鎖が可能であり、また、排水時においては、上方への折り返しを解除することにより、ポケット内に収容された水又は液状物等の排出を容易、かつ、確実に行うことができる。
【００１４】
請求項２記載の発明によると、保持材の折り曲げ角度を変えることにより、保持材全体の長さ及び幅を自由に変更できる。また、エプロン使用状態においては保持材を装着しておくことにより、ポケットの開口状態をより確実に保持できるとともに、ポケットからの水の排出あるいは洗浄に当たっては保持材を取り外すことにより、ポケット内に収容された水あるいは液状物等の排出作業又はポケット周辺の洗浄作業を容易かつ確実なものとすることができる。さらに、エプロンの保管時にも、保持材を取り外すことができるため、コンパクトに収容することができる。
【発明を実施するための最良の形態】
【００１９】
本発明に係るエプロンを実施するための最良の形態を図面を参照して以下に説明する。
【実施の形態】
【００２０】
まず、本発明の第一の実施の形態を図１乃至図３を参照して説明する。
図１は、本実施の形態の構成を示す正面図、図２は、同上面図である。
【００２１】
本実施の形態に係るエプロンは、図１に示すように、ほぼ台形状をしたエプロン本体部１、エプロン本体部１表面の下端に、そのほぼ全幅にわたり設けられた下部ポケット２、下部ポケットの開口状態を保持する保持材３、及び、下部ポケット２の下方に連通して開閉自在な排水路４を備えている。前記エプロン本体部１、下部ポケット２及び排水路４は、可撓性の防水シートより形成されている。可撓性の防水シートを構成する素材としては、塩化ビニル等の合成樹脂シート材料、裏生地を構成する布に防水性のコーティングまたはラミネート等の表面処理を施した公知のものが用いられる。
【００２２】
エプロン本体部１の上部には、エプロンを首に装着するため、円形状の切欠部５と該円形状切欠部を外部に連通させる切欠部６が形成され、エプロン上端部７、７が二手に分離されている。エプロン上端部７、７には、これらを重ね合わせて止着する面ファスナー８、８がそれぞれ表裏に設けられている。エプロン上端部７、７を止着する手段としては、面ファスナーに限らず、紐等でも良い。  
【００２３】
エプロン本体部１の下端の表面側に設けられる下部ポケット２は、所定の高さを有する可撓性の防水シートからなるポケットカバー１０をエプロン本体部１の表面側に重ね合わせ、重ね合わされた側縁部１２、１２及び下縁部１３に沿って接着、融着等により防水的に接合して形成されるものである。ポケットカバー１０の上縁の形状は、図１に示すストレートのものに限らず、両端が少し上側に上がった曲線形状にして両端側における水等の受けをより確実なものとすることも望ましい態様である。また、美的効果のため、ポケットカバー１０の上縁を「Ｗ」形状等にするのも一態様である。
【００２４】
また、下部ポケット２の下方には、内部を連通するようにして排水路４を設ける。該排水路４は、下部ポケット２を形成している２枚の防水性シート、すなわち、エプロン本体部１及びポケットカバー１０の下端中央部を、所定の長さ延長して形成される。したがって、排水路４に連なる部分のエプロン本体部１及びポケットカバー１０は接合されていない。なお、排水路４の幅は、下部ポケット２の幅の約１／２〜１／６が望ましく、約１／４がさらに望ましい。
さらに、排水路４は、その基端９を支点として上方に折返しでき、折返した状態でポケットカバー１０に設けられたスナップ１１と排水路４の表面に設けられたスナップ１１を嵌合させることにより保持することができる。排水路４を、上方に折返した状態においては、下部ポケット２内に収容された水等は完全に封止される。なお、上記スナップ１１に代えて、ボタン、面ファスナー等公知の固定手段を用いることができる。
また、排水路４の封止手段としては、上記の折り返し方式に限らず、排水路４の外面に図示しない紐を設け、該紐により排水路を外側から絞りこむようにして封止するものでも良い。ただし、排水路内に封止手段を設けることは、排水路における排水等の障害になるため好ましくない。下部ポケット２内に収容された水を排出する場合は、排水路４を図１の実線で示すように開放する。その際、下部ポケット２の上方から水を供給することにより洗浄することもできる。
【００２５】
また、下部ポケット２には、該下部ポケット２の上側からの開口を保持するための保持材３が設けられている。この保持材３としては、下部ポケット２の上縁の開口を保持できる手段であれば特に限定されるものではない。図１の破線及び図２の実線で示した保持材３は、一定の保形力を有する防水性の材料から形成され、下部ポケット２内に縫製の段階で縫い込んでおくか、又は、着脱自在に装着される。下部ポケット２を形成するエプロン本体部１及びポケットカバー１０が可撓性シートであることから、保持部材３は、ある程度の剛性を有して、それ自身が保形力を有するものであることが望ましい。また、軽量であることも望ましい。  
図３は、図１乃び２に示した保持材３の斜視図であり、保持材３は防水性の材料からなる可撓性板状材を長手方向において複数箇所で折り曲げて形成したものであり、折り曲げ部１４の折り曲げ角度が自由に変更可能な構造となっており、該折り曲げ角度を変えることにより、保持材３全体の長さ及び幅を自在に変更できる。
また、保持材３が下部ポケット２内に着脱自在に装着される形式のものにおいては、エプロンの使用状態では保持材３を装着しておくことにより下部ポケットの開口状態をより確実に保持できるとともに、下部ポケットからの水の排出あるいは洗浄に当たっては保持部材３を取り外すことにより下部ポケット２内に収容された水あるいは液状物等の排出作業又は下部ポケット２周辺の洗浄作業を容易かつ確実なものとすることができる。さらに、エプロンの保管時にも、保持材を取り外すことができるため、コンパクトに収容することができる。  
【００２６】
図４は、第二の実施の形態の構成を示す正面図であり、図１乃び図２に記した符号と同じ符号は同一部材を示している。 
この第二の実施の形態に係るエプロンは、エプロン本体部１表面の上方に、そのほぼ全幅にわたり上部ポケット１８を形成し、該上部ポケット１８の下方に連通して開閉自在な排水路１９を設け、前記上部ポケットには開口状態を保持する保持材２３を設け、前記上部ポケット１８及び排水路１９を可撓性の防水シートより形成してなるものである。
上部ポケット１８は、所定の高さを有する可撓性の防水シートからなるポケットカバー１０をエプロン本体部１の表面側に重ね合わせ、重ね合わされた側縁部１２、１２及び下縁部１３に沿って接着、融着等により防水的に接合して形成されるものである。
また、上部ポケット１８の下方には、内部を連通するようにして排水路１９を設ける。  該排水路１９は、上部ポケット１８を形成している２枚の防水性シート、すなわち、エプロン本体部１及びポケットカバー１０の下端中央部を、所定の長さ延長して形成される。したがって、排水路１９に連なる部分のエプロン本体部１及びポケットカバー１０は接合されていない。排水路１９は、一点鎖線で示すようにその基端を支点として上方に折返しでき、折返した状態でポケットカバー１０に設けられたスナップ１１と排水路１９の表面に設けられたスナップ１１を嵌合させることにより保持することができる。  排水路１９を、上方に折返した状態においては、上部ポケット１８内に収容された食べこぼし等の液状物等は完全に封止される。また、上部ポケット１８内に収容された食べこぼし等の液状物等を洗い流す場合は、排水路１９を図４の実線で示すように開放した状態で、上部ポケット１８の上方から水を供給することにより洗浄することができる。
なお、図４に示した上部ポケット１８の保持材２３は、下部ポケット２の保持材３と同様の機能を有するものであるが、その構造は下部ポケット２の保持材３とは相違し、一定の剛性を有する棒状部材を、図５に示すようにポケット上部中央においてエプロン本体部１とポケットカバー１０とが適宜の間隔を保持するようにしてその端面を縫製、接着等により固定的に取り付けるか、又は面ファスナー等で着脱自在に取り付けられる。
また、上部ポケット１８に、図３に示す折り曲げ形成された保持材３を、縫製で固定的に取り付けることも更に着脱自在に取り付けることも可能である。
この第二の実施の形態に係るエプロンは、口元に近い部分に上部ポケット１８が形成されているため、食事用に用いた場合、食べこぼしを確実に上部ポケット１８に収容することができる。
【００２７】
図６は、第三の実施の形態の構成を示す正面図であり、図１乃至図５に記した符号と同じ符号は同一部材を示している。
この第三の実施の形態に係るエプロンは、上記した第１の実施の形態及び第二の実施の形態を組合わせたようなものであり、エプロンのエプロン本体部１表面の上方に、そのほぼ全幅にわたり上部ポケット１８を形成し、該上部ポケット１８の下方に連通して開閉自在な排水路１９を設け、前記上部ポケットには開口状態を保持する保持材２３を設けるとともに、エプロン本体部１表面の下端に、そのほぼ全幅にわたり下部ポケット２を形成し、該下部ポケット２の下方に連通して開閉自在な排水路４を設け、下部ポケットの開口状態を保持する保持材３を備えている。
この第三の実施の形態に係るエプロンは、口元に近い部分に上部ポケット１８が形成されているため、食事用に用いた場合、食べこぼしを確実に上部ポケット１８に収容することができる。また、上部ポケットで収容できなかった食べこぼしも下部ポケット２で収容することが可能となり、より一層の効果を発揮することができる。
【００２８】
図７は、第四の実施の形態の構成を示す正面図であり、図１乃至図６に記した符号と同じ符号は同一部材を示している。
この第四の実施の形態に係るエプロンは、エプロン本体部１表面の上下方向のほぼ中間部に、そのほぼ全幅にわたり中間部ポケット２０を形成し、該中間部ポケット２０の側方に連通して開閉自在な排水路２１を設け、前記中間部ポケット２０には開口状態を保持する保持材２２を設け、前記中間部ポケット２０及び排水路２１を可撓性の防水シートより形成してなるものである。中間部ポケット２０の下端は、図に示すように排水路２１に向かって傾斜した形状となっている。また、排水路２１は、図の一点鎖線で示すように上方に折り返してスナップ１１によりポケットカバー１０に固着することができる。なお、保持材２２は、図３に示す保持材３と同様の構造を有するものを示しているが、図５に示す保持材２３を用いても良いことは当然である。
【００２９】
図８には、図７に示したエプロンをその裏面から見た状態が示されており、エプロン本体部１裏面の下方には複数の滑り止め部材１５が設けられている。この滑り止め部材１５としては、ゴム等の摩擦係数の大きい材料が望ましい。エプロンを装着した状態で食事をするに当たり、エプロンをテーブル等の上面に伸張した状態に保持することができるため、食べこぼしにより液状物等が飛散したとしても、エプロン全面の広い範囲で受けることが可能となる。したがって、滑り止め部材１５を設ける平面的位置としては、エプロン本体部１の下方周囲が望ましい。  
【００３０】
図９には、エプロン本体部のほぼ中間において上下に２分割し、上部エプロン本体１６の下端及び下部エプロン本体１７の上端にスナップ１１あるいは図示しない面ファスナー等の適宜の手段を設け、両者を結合可能に形成したタイプのものを示している。
【００３１】
上下分割タイプのエプロンは、基本的には上記した第１乃至第四の実施の形態のエプロンを上下に２分割したものである。図９では、図６の第三の実施の形態の上部ポケット１８及び下部ポケット２を有するものを分割した状態が示されている。なお、第四の実施の形態のエプロン本体部１表面のほぼ中間部に中間部ポケット２０を形成するエプロンの場合は、該中間部ポケット２０の上方で分割する。
この上下分割タイプのエプロンは、使用目的に応じて、以下の応用例が考えられる。
（１）洗顔に用いる場合は、第一の実施の形態とエプロンの構造と同様に、上部エプロン本体１６には上部ポケットを有しないものを選択し、下部エプロン本体１７には下部ポケット２を有するものを選択し、上下のエプロン本体を結合して用いる。
（２）食事用に用いる場合であって比較的食べこぼしの少ない人の場合、上部エプロン本体１６に上部ポケットを有するものを選択し、上部エプロン本体のみを用いるか、あるいは、下部エプロン本体として下部ポケットを有しないものを選択して上下のエプロンを結合して用いる。
（３）食事用に用いる場合であって比較的食べこぼしの多い人の場合、上部エプロン本体１６に上部ポケットを有するものを選択するとともに、下部エプロン本体１７にも下部ポケット２を有するものを選択して、上下のエプロンを結合して用いる。
【００３２】
上記のように、上下分割タイプのエプロンにおいては、上部エプロン本体１６としては、上部ポケット１８及び排水路１９を有するものが基本型であるが、シンプルタイプとして、上部ポケット１８及び排水路１９を有しないものを用意される。
また、下部エプロン本体１７としては、下部ポケット２及び排水路４を有するものが基本型であるが、シンプルタイプとして、下部ポケット２及び排水路４を有しないものを用意しておくものである。
すなわち、上下分割タイプのエプロンにおいては、その使用目的に応じて、上部エプロン本体１６を単独で用いるか、あるいは上部エプロン本体１６及び下部エプロン本体１７を結合して用いることができるものである。
【００３３】
図１０は、 図７の第四の実施の形態のエプロン本体部１表面のほぼ中間部に中間部ポケット２０を有するエプロンの使用状態を示す側面図である。
図に示すように、中間部ポケット２０が、体とテーブルの隙間を埋めるように位置しており、エプロンの裾がテーブル上面に広げられ、エプロン裏面の滑り止め１５により保持されている。排水路は、エプロン本体部１の側方に設けられているため、使用に際して障害となることはない。
【図面の簡単な説明】
【００３４】
【図１】本発明の第一の実施の形態の構成を示す正面図である。
【図２】本発明の第一の実施の形態の構成を示す上面図である。
【図３】板状部材を折り曲げ形成された保持材を示す斜視図である。
【図４】本発明の第二の実施の形態の構成を示す正面図である。
【図５】棒状部材からなる保持材を示す斜視図である。
【図６】本発明の第三の実施の形態の構成を示す正面図である。
【図７】本発明の第四の実施の形態の構成を示す正面図である。
【図８】本発明の第四の実施の形態の構成を示す裏面図である。
【図９】本発明の実施の形態の上下分割タイプのエプロンの構成を示す正面図である。
【図１０】第四の実施の形態のエプロンの使用状態を示す側面図である。
【符号の説明】
【００３５】
１    エプロン本体部      
２    下部ポケット      
３    保持材      
４    排水路      
５    円形状の切欠部      
６    切欠部      
７    エプロン上端部
８    面ファスナー
９    排水路基端      
１０  ポケットカバー      
１１  スナップ      
１２  側縁部
１３  下縁部
１４  折り曲げ部     
１５  滑り止め部材      
１６  上部エプロン本体      
１７  下部エプロン本体      
１８  上部ポケット      
１９  排水路      
２０  中間部ポケット        
２１  排水路
２２、２３  保持材
【要約】
【課題】本発明は、洗顔に用いるように多量の水がエプロンに飛散するような場合でも洗顔者の衣類に水がかからないようにするとともにエプロンに飛散した水を確実に収容でき、また、エプロンを食事に用いる場合においても、食べこぼされる液状物等を確実に収容可能であり、さらに、目、鼻、口腔等の治療に用いられた場合、治療に使用される液物を収容することが可能であり、そして収容された水或いは液状物等を排出することが容易なエプロンを提供することを目的とする。
【解決手段】本発明は、１枚のエプロン本体部の下端に、そのほぼ全幅にわたりポケットを形成し、該ポケットの下方に連通して開閉自在な排水路を設け、前記ポケットには開口状態を保持する保持材を設け、前記エプロン本体部、ポケット及び排水路を可撓性の防水シートより形成してなることを特徴とするものである。
【選択図】    図  １
【図１】
0003603080.tif 000002
【図２】
0003603080.tif 000003
【図３】
0003603080.tif 000004
【図４】
0003603080.tif 000005
【図５】
0003603080.tif 000006
【図６】
0003603080.tif 000007
【図７】
0003603080.tif 000008
【図８】
0003603080.tif 000009
【図９】
0003603080.tif 000010
【図１０】
0003603080.tif 000011